(57)【要約】      （修正有）【課題】並列素材に合せて加熱する一次移行倍速成型機を提供する。【解決手段】一次移行倍速成型機は、主として、輸送レール２１を含む輸送ユニット２０と、輸送レールに設けられる複数のスライドブロック２２及び複数の加熱レール４１を備える加熱ユニット４０を含み、各加熱レールの入口端４１１及び出口端４１２は前記輸送レールに連通して環状のループを形成する。そのうち、加熱レールの入口端及び出口端はそれぞれ切替制御セット７０が設けられ、それによってそれらスライドブロックは輸送レールと加熱レールに於いて単列／多列の排列切替を行うことができる。【選択図】図５
0003170159.tif 000002
【実用新案登録請求の範囲】
【請求項１】
並列素材に合せて加熱する一次移行倍速成型機であって、
輸送レールを含み、かつその輸送レールに沿って少なくとも一つの原料進入ユニットと、少なくとも一つの成型ユニット及び少なくとも一つの瓶送出ユニットが環状に設けられる輸送ユニットと、
スライド可能に輸送レール上に設置され、各自には少なくとも一つの瓶素材座が設けられ、瓶素材座は工作物を載せることに用いられ、そのうち、それらは活動可能に単列状にチェン連結されまたは分離される複数のスライドブロックと、
複数個の加熱レールと複数個の加熱装置を備え、各加熱レールの入口端及び出口端は輸送レールに連通し、それによって加熱レールと輸送レールは環状のループに現われ、スライドブロックは複数並列のマトリックス状をもって加熱レールに排列される加熱ユニットと、
それぞれ加熱レールの入口端及び出口端に設けられ、輸送レールに連接される少なくとも一つの第一切替レール、及び第一切替レールに連接される少なくとも一つの第二切替レールを含み、そのうち、更にスライドブロックを加熱レールと第一切替装置の間で切替できる第一切替装置、及びスライドブロックを加熱レールと第二切替装置の間で切替できる第二切替装置を含む少なくとも二つの切替制御セットとを備える並列素材に合せて加熱する一次移行倍速成型機。
【請求項２】
前記第二切替装置は第一切替レール及び第二切替レールの側辺で往復移行する予備レールを含み、予備レールが第一切替レールの側辺に移行された場合、第一切替レール及び加熱レールと連通することができる請求項１記載の並列素材に合せて加熱する一次移行倍速成型機。
【請求項３】
前記成型ユニットのスライドブロックの容量は加熱ユニットの単列スライドブロックの容量の二倍である請求項１記載の並列素材に合せて加熱する一次移行倍速成型機。
【考案の詳細な説明】
【技術分野】
【０００１】
本考案はプラスチック（ｐｌａｓｔｉｃ）瓶の成型機に関するもので、更に詳しく言えば、それは特に輸送ユニット（ｕｎｉｔ）と加熱ユニットの間に一列／多列の切替を行うことができる切替制御セット（ｓｅｔ）を備え、かつその切替制御セットは倍速移行の特性を備え、それによって成型機は加熱ユニットと成型ユニットの間に同等速度の輸送、動作を達成することができ、ほかに待ち時間を必要としなく、かつ加熱ユニットの設置コスト（ｃｏｓｔ）を減少する目的を達成することができる。
【背景技術】
【０００２】
図１に示す伝統的プラスチック瓶の成型機は環状レール（ｒａｉｌ）１に沿って順番に少なくとも一つの原料進入ユニット２と、少なくとも一つの加熱ユニット３と、少なくとも一つの成型ユニット４及び少なくとも一つの瓶送出ユニット５が設けられ、かつレールにはスライド（ｓｌｉｄｅ）可能に複数のスライドブロック（ｓｌｉｄｅ  ｂｌｏｃｋ）６が設けられ、スライドブロック６には工作物を載せるための瓶素材座が設けられ、それによって瓶素材は原料進入ユニット２を経てスライドブロック６の瓶素材座に置かれ、レール１によって加熱ユニット３に輸送されて可塑状態に加熱され、更に成型ユニット４を経て吹き込み成型された後、製品は瓶送出ユニット５に輸送されて送り出される。
【０００３】
ところが、加熱ユニット３が瓶素材を加熱するには一定の時間が必要であり、成型ユニット４は極短い時間だけで吹き込み成型を完成することができるので、成型ユニット４を常に止めて加熱ユニット３を待たなければならなく、全体的生産速度が遅くなってしまう。
【０００４】
そこで、本案の考案者は前に図２に示すようなプラスチック瓶の成型機を提出しているが、それは一列の輸送レール１０と加熱ユニット３に設置される複数列の加熱レール１１をもって環状配置を構成し、それによって複数の活動可能なチェン（ｃｈａｉｎ）連結または分離されたスライドブロック１２はその上でスライドすることができ、輸送レール１０と加熱レール１１の間には切替装置１３が設けられ、それはそれらスライドブロック１２を輸送レール１０と加熱レール１１の間に単列／複列の切替を行うことができ、これによって確実に瓶素材が加熱ユニット３内に止まる時間を延長することができ、成型ユニット４は止まらなくて連続に吹き込み成型作業を行うことができ、成型機の速度と生産量を大幅に高めることができる。
【０００５】
ところが、成型ユニット４を加熱ユニット３と同調して動作させるには、成型ユニット４の一回動作のスライドブロック数は加熱ユニット３の加熱レール１１の列数に合わせる必要があり、そのために高生産量の成型ユニット４に応用される場合、加熱ユニット３が必要とする体積とコストはそれに伴って増加するので、本案の考案人は更に進んで並列素材に合わし加熱する一次移行倍速成型機を提出し、それの加熱ユニット３は元の半分だけ必要するが、成型ユニット４は同じ生産速度を達成することができる。
【考案の概要】
【考案が解決しようとする課題】
【０００６】
従来の成型機の加熱ユニットと成型ユニットが組合されない場合、二つのユニットの間に互いに待つことが生じ、連続生産ができなくなり、生産量と速度を高めることができなく、更に高生産量の成型ユニットは大型の加熱ユニットと組み合わせなければならなく、そのために体積とコストも伴って増加する。
【課題を解決するための手段】
【０００７】
本考案は並列素材に合せて加熱する一次移行倍速成型機を提供するもので、それは次のものを含む。
【０００８】
輸送ユニット、それは輸送レールを含み、かつその輸送レールに沿って少なくとも一つの原料進入ユニットと、少なくとも一つの成型ユニット及び少なくとも一つの瓶送出ユニットが環状に設けられる。
【０００９】
複数のスライドブロック、それはスライド可能に輸送レール上に設置され、各スライドブロックには少なくとも一つの瓶素材座が設けられ、瓶素材座は工作物を載せることに用いられ、そのうち、それらスライドブロックは活動可能に単列状にチェン連結されまたは分離される。
【００１０】
加熱ユニット、それには複数個の加熱レールと複数個の加熱装置を備え、各加熱レールの入口端及び出口端は前記輸送レールに連通し、それによって加熱レールと前記輸送レールは環状のループ（ｌｏｏｐ）に現われ、前記スライドブロックは複数並列のマトリックス（ｍａｔｒｉｘ）状をもって加熱レールに排列される。
【００１１】
少なくとも二つの切替制御セット、それらはそれぞれ加熱レールの入口端及び出口端に設けられ、それは輸送レールに連接される少なくとも一つの第一切替レール、及び第一切替レールに連接される少なくとも一つの第二切替レールを含み、そのうち、更にスライドブロックを加熱レールと第一切替装置の間で切替できる第一切替装置、及びスライドブロックを加熱レールと第二切替装置の間で切替できる第二切替装置を含む。
【考案の効果】
【００１２】
本案は第一切替レール及び第二切替レールの設置により、加熱ユニットが必要とする加熱レールのスライドブロックの容量を成型ユニットの一次作業スライドブロックの容量の半分だけにすることができ、第一切替装置と第二切替装置は自動的に第一切替レール及び第二切替レール内の単列スライドブロックを分離し、多列並列状に現せて加熱レールに排列させる。または加熱レール内の並列状スライドブロックを第一切替レール及び第二切替レールに於いて新たに単列状の構成に排列し、更に輸送レールによって成型ユニットへ輸送し、それによって成型ユニットの作業速度を加速し、並びに加熱ユニット及び加熱レールの必要数及びコストを減少することができる。
【図面の簡単な説明】
【００１３】
【図１】従来の成型機の平面配置意表図（一）である。
【図２】従来の成型機の平面配置意表図（二）である。
【図３】本実用新案の立体外観図である。
【図４】本実用新案にスライドブロックを組合して使用した立体外観図である。
【図５】本実用新案の作動平面図（一）である。
【図６】本実用新案の作動平面図（二）である。
【図７】本実用新案の作動平面図（三）である。
【図８】本実用新案の作動平面図（四）である。
【考案を実施するための形態】
【００１４】
［実施例］
【００１５】
図３から図５に示すように、本考案の並列素材に合せて加熱する一次移行倍速成型機は輸送ユニット２０と、少なくとも一つの原料進入ユニット３０と、少なくとも一つの加熱ユニット４０と、少なくとも一つの成型ユニット５０及び少なくとも一つの瓶送出ユニット６０から構成される。
【００１６】
輸送ユニット２０は輸送レール２１を含み、輸送レール２１にはスライド可能に複数のスライドブロック２２が設けられ、各スライドブロック２２には少なくとも一つの瓶素材座２２１が設けられ、図４に示すように、最適実施例では一つのスライドブロック２２に二つの瓶素材座２２１が設けられ、瓶素材座２２１は工作物を載せることに用いられる。そのうち、それらスライドブロック２２は活動可能に単列状にチェン連結されまたは分離され、輸送ユニット２０は更に輸送動力源２３を含み、輸送動力源２３はスライドブロック２２を輸送ユニット２１で移行できるよう駆動する。
【００１７】
加熱ユニット４０には複数個の加熱レール４１と、複数個の加熱レール４１に加熱作業を行うことができる加熱装置（図面には示されていない）を備え、各加熱レール４１の入口端４１１及び出口端４１２は前記輸送レール２１の両端個所に連通し、それによって加熱レール４１と前記輸送レール２１は環状のループに現われ、前記スライドブロック２２は複数並列のマトリックス状をもって加熱レール４１に排列される。
【００１８】
前記加熱ユニット４０は更に少なくとも二つの切替制御セット７０を含み、それは加熱レール４１の入口端４１１及び出口端４１２個所に対応して設置され、切替制御セット７０には輸送レール２１に連接される少なくとも一つの第一切替レール７１、及び第一切替レール７１に連接される少なくとも一つの第二切替レール７２を含み、かつ第一切替レール７１と第二切替レール７２は直線状の排列に現われる。そのうち、更に前記スライドブロック２２を前記加熱レール４１と第一切替レール７１の間で切替する第一切替装置７１１、及び前記スライドブロック２２を前記加熱レール４１と第二切替レール７２の間で切替する第二切替装置７２１を含む。第一切替装置７１１は第一切替動力シリンダー（ｃｙｌｉｎｄｅｒ）７１２及びピストン（ｐｉｓｔｏｎ）軸に設けられる第一切替当て板７１３を含む。第二切替装置７２１は第二切替動力シリンダー７２２及びピストン軸に設けられる第二切替当て板７２３を含む。
【００１９】
また、第二切替装置７２１は更に前記第一切替レール７１及び第二切替レール７２の側辺で往復移行する予備レール７３を含み、予備レール７３と第一切替レール７１、第二切替レール７２は軸心が平行するよう設置され、かつ予備レール７３は第一切替レール７１と加熱レール４１の間に設けられる。予備レール７３が第一切替レール７１の側辺に移行された場合、第一切替レール７１及び加熱レール４１は互いに連通することができる。予備レール７３が第二切替レール７２の側辺に移行された場合、第二切替レール７２及び加熱レール４１は連通することができる。そのうち、予備レール７３は移行動力シリンダー７３１によって第一切替レール７１及び第二切替レール７２の側辺で往復移行するよう駆動される。
【００２０】
図５に示すように、本案最適実施例の成型ユニット５０のスライドブロック２２の容量は加熱ユニット４０の単列スライドブロック２２の二倍であり、かつ成型ユニット５０のスライドブロック２２の容量は前記第一切替レール７１と第二切替レール７２のスライドブロック２２を足した容量に等しい。
【００２１】
そのうち、それら予備レール７３が第一切替レール７１の側辺に移行されると、第一切替レール７１及び加熱レール４１は互いに連通することができる。本考案の作動を詳しく説明するため、加熱レール４１の入口端４１１に進入しょうとするスライドブロック２２を順番にスライドブロック２２ａ、２２ｂと標示し、加熱レール４１の出口端４１２から送り出されようとするスライドブロック２２を順番にスライドブロック２２ｃ、２２ｄと標示する。
【００２２】
前記輸送レール２１内のスライドブロック２２ａ、２２ｂは輸送動力源２３の駆動により、それぞれ輸送レール２１と直線状の排列に現われる第一切替レール７１及び第二切替レール７２に進入する。
【００２３】
図６に示すように、前記入口端４１１に近い第一切替動力シリンダー７１２はスライドブロック２２ａを予備レール７３経由に前記加熱レール４１に押込み、輸送レール２１内のスライドブロック２２及び第二切替レール７２内のスライドブロック２２ｂと分離し、同時にスライドブロック２２ｃ、２２ｄも同調して第一切替装置７１１に動かされて移行し、そのためにスライドブロック２２ｃは出口端４１２の第一切替レール７１’に進入し、並びに輸送レール２１内のスライドブロック２２と直列して単列連結し、スライドブロック２２ｄは出口端４１２の予備レール７３’へ移行する。
【００２４】
図７に示すように、前記入口端４１１に近い予備レール７３は第二切替レール７２の側辺にスライドし、並びに第二切替動力シリンダー７２２経由にスライドブロック２２ｂを予備レール７３に押込み、同時に出口端４１２の予備レール７３’は移行動力シリンダー７３１’の駆動により、その上にあるスライドブロック２２ｄを第二切替レール７２’の側辺に動かし、並びに第二切替動力シリンダー７２２’に駆動されて第二切替レール７２’へ進入し、並びにスライドブロック２２ｃと直列して単列状に連結される。
【００２５】
図８に示すように、前記入口端４１１に近い予備レール７３は移行動力シリンダー７３１の駆動を受け、スライドブロック２２ｂを加熱レール４１の入口端４１１個所に移行し、前のスライドブロック２２ａと並列して加熱レール４１に排列し、並びに第一切替レール７１及び加熱レール４１は予備レール７３によって互いに連通し、加熱ユニット４０の加熱作業を受けるよう準備する。このようにすれば倍速方式をもって元来直列して単列状に現われるスライドブロック２２を複数の並列マトリックス状に分解し、加熱レール４１個所に排列される。
【００２６】
出口端４１２の予備レール７３’は同じく第一切替レール７１及び加熱レール４１に移行戻り、それによって第一切替レール７１’及び加熱レール４１は互いに連通することができる。輸送動力源２３が再度それら直列の単列スライドブロック２２を輸送レール２１上で移行するよう駆動した場合、スライドブロック２２ｃ、２２ｄもそれに伴って出口端４１２の第一切替レール７１’及び第二切替レール７２’から動かされて離れ、輸送レール２１に進入して成型ユニット５０へ移動し、新しいスライドブロック２２も同調して入口端４１１の第一切替レール７１及び第二切替レール７２へ輸送される。
【００２７】
以上に述べた動作を繰り返すと、加熱待ちの瓶素材を載せたスライドブロック２２は、直列の単列状から分離されて並列のマトリックス状に排列された後、加熱ユニット４０に進入して加熱作業が行われ、加熱ユニット４０は充分な時間を具えて瓶素材を可塑状態に加熱し、加熱が完成された瓶素材はスライドブロック２２に伴って再び単列状に直列排列され、更に輸送レール２１によって成型ユニット５０に輸送され、それによって成型ユニット５０は連続に成型作業を行うことができる。
【００２８】
かつ、第一切替装置７１１及び第二切替装置７２１の設置により、加熱ユニット４０が必要とするスライドブロック２２の容量は成型ユニット５０の一次成型作業のスライドブロック２２の容量の半分になり、加熱ユニット４０が必要とする体積及び設置コストを大幅に減少することができる。
【符号の説明】
【００２９】
２０        輸送ユニット
２１        輸送レール
２２、２２ａ、２２ｂ、２２ｃ、２２ｄ        スライドブロック
２２１      瓶素材座
２３        輸送動力源
３０        原料進入ユニット
４０        加熱ユニット
４１        加熱レール
４１１      入口端
４１２      出口端
５０        成型ユニット
６０        瓶送出ユニット
７０        切替制御セット
７１、７１’  第一切替レール
７１１      第一切替装置
７１２      第一切替動力シリンダー
７１３      第一切替当て板
７２、７２’  第二切替レール
７２１      第二切替装置
７２２、７２２’  第二切替動力シリンダー
７２３      第二切替当て板
７３、７３’  予備レール
７３１、７３１’移行動力シリンダー
【図１】
0003170159.tif 000003
【図２】
0003170159.tif 000004
【図３】
0003170159.tif 000005
【図４】
0003170159.tif 000006
【図５】
0003170159.tif 000007
【図６】
0003170159.tif 000008
【図７】
0003170159.tif 000009
【図８】
0003170159.tif 000010
【手続補正書】
【提出日】平成23年7月6日(2011.7.6)
【手続補正１】
【補正対象書類名】実用新案登録請求の範囲
【補正対象項目名】全文
【補正方法】変更
【補正の内容】
【実用新案登録請求の範囲】
【請求項１】
並列素材に合せて加熱する一次移行倍速成型機であって、
輸送レールを含み、かつその輸送レールに沿って少なくとも一つの原料進入ユニットと、少なくとも一つの成型ユニット及び少なくとも一つの瓶送出ユニットが環状に設けられる輸送ユニットと、
スライド可能に輸送レール上に設置され、各自には少なくとも一つの瓶素材座が設けられ、瓶素材座は工作物を載せることに用いられ、そのうち、それらは活動可能に単列状にチェン連結されまたは分離される複数のスライドブロックと、
複数個の加熱レールと複数個の加熱装置を備え、各加熱レールの入口端及び出口端は輸送レールに連通し、それによって加熱レールと輸送レールは環状のループに現われ、スライドブロックは複数並列のマトリックス状をもって加熱レールに排列される加熱ユニットと、
それぞれ加熱レールの入口端及び出口端に設けられ、輸送レールに連接される少なくとも一つの第一切替レール、及び第一切替レールに連接される少なくとも一つの第二切替レールを含み、そのうち、更にスライドブロックを加熱レールと第一切替レールの間で切替できる第一切替装置、及びスライドブロックを加熱レールと第二切替レールの間で切替できる第二切替装置を含む少なくとも二つの切替制御セットとを備える並列素材に合せて加熱する一次移行倍速成型機。
【請求項２】
前記第二切替装置は第一切替レール及び第二切替レールの側辺で往復移行する予備レールを含み、予備レールが第一切替レールの側辺に移行された場合、第一切替レール及び加熱レールと連通することができる請求項１記載の並列素材に合せて加熱する一次移行倍速成型機。
【請求項３】
前記成型ユニットのスライドブロックの容量は加熱ユニットの単列スライドブロックの容量の二倍である請求項１記載の並列素材に合せて加熱する一次移行倍速成型機。
【手続補正２】
【補正対象書類名】明細書
【補正対象項目名】００１１
【補正方法】変更
【補正の内容】
【００１１】
少なくとも二つの切替制御セット、それらはそれぞれ加熱レールの入口端及び出口端に設けられ、それは輸送レールに連接される少なくとも一つの第一切替レール、及び第一切替レールに連接される少なくとも一つの第二切替レールを含み、そのうち、更にスライドブロックを加熱レールと第一切替レールの間で切替できる第一切替装置、及びスライドブロックを加熱レールと第二切替レールの間で切替できる第二切替装置を含む。